(57)【要約】【課題】    美術造形作品や工業製品、商品等の、中、大型展示物、プラスチック模型やフィギュア等の小品展示物を従来の回転展示台のような平面的な回転では無く一視点から多様な角度で展示物の形態を観察鑑賞ができる多視角回転展示台の提供を目的とする。【解決手段】    基盤上に回転可能に搭載された回転台から、斜め上方に突出する第２軸、第２軸に回転可能に係合される第１軸の先端部に長さ方向に対して傾斜を付けて設けた展示物取り付け具、下端部には中心を一にした歯車が固着され、歯車は前記基盤の中心から突起した柱が有する歯車と噛合し、回転台を回転させると第１軸は、第２軸に対して周方向に自転し、展示物取り付け具に公転と自転を同時に発生させて展示物を一つの視点から俯瞰や仰視も含む、あらゆる角度から観察鑑賞できるようにした。【選択図】図７
2008049164.tif 000002
【特許請求の範囲】
【請求項１】
基台に固着され、基台から斜め上方に突出する第１軸、第１軸と周方向に回転可能に係合される第２軸の先端部に、第２軸の長さ方向に対して傾斜を付けて設けられた展示物取り付け具を備えることを特徴とする展示装置。
【請求項２】
基台に固着され、基台から斜め上方に突出する第２軸、第２軸と周方向に回転可能に係合される第１軸の先端部に、第１軸の長さ方向に対して傾斜を付けて設けられた展示物取り付け具を備えることを特徴とする展示装置。
【請求項３】
請求項１記載の特徴を有する展示装置において、第１軸と第２軸の係合面をテーパー状に構成することを特徴とする展示装置。
【請求項４】
基盤上に回転可能に搭載された回転台から、斜め上方に突出する第２軸、第２軸と周方向に回転可能に係合される第１軸、第１軸の先端部に長さ方向に対して、傾斜を付けて設けられた展示物取り付け具、第１軸の下端部には中心を一にした歯車が固着され、歯車は、前記基盤の中心から突起した柱が有する歯車と噛合し、回転台を回転させると、第１軸は、第２軸に対して周方向に自転し、展示物取り付け具に公転と自転を同時に発生させることを特徴とする展示装置。
【発明の詳細な説明】
【技術分野】
【０００１】  本発明は、一視点より、あらゆる角度で展示物を観察鑑賞できる回転展示台に関する。
【背景技術】
【０００２】  従来の回転展示装置で、公転、自転を発生させ、腕時計や宝飾品を展示する装置、公開特許広報（Ａ）特開２００４−２１２２６６が有るが、公転、自転を発生させる装置ではあるが、その回転は、平面上で行われるため、一つの視点から、多角的視点で展示物の形態を捕らえることができない。【０００３】  従来の回転展示装置で、公転、自転を発生させ人形等を展示する装置、公開実用新案広報昭５３−９４７９９が有るが、その回転は、平面上で行われるため、一つの視点から多角的に展示物の形態を捕らえることができない。
【発明が解決しようとする課題】
【０００４】  上記のように従来の回転展示装置では、公転自転が平面的であるために、回転中の展示物を一視点から、俯瞰したり、仰視したり、あらゆる角度からその形態を観察、鑑賞することはできなかった。
【０００５】  一視点において、展示物をあらゆる角度から、観察鑑賞できる回転展示台の実現を目的とする。
【課題を解決するための手段】
【０００６】  図１は、第一軸と第二軸の係合を示す。図２参照、第一軸１を基台３に斜め上方に向けて固着し、第一軸１に第二軸２を周方向に回転可能に係合させ、第二軸２の上端部に長さ方向に対し傾斜を付けて展示物取り付け具を設置した。
【０００７】  図３参照、前記の第一軸１と第二軸２の役割を転じ、第二軸２を回転台５に斜上方に向けて固着し、第一軸１を第二軸２内に自転可能に係合させる。
【０００８】  前記０００６記載の特徴を有する展示装置で、軽量小品展示物を対象にした簡易展示装置を図面を参照しながら説明する。図４、右側の断面図参照、基台３に固着され、基台３から斜上方に突出する第一軸１、第一軸１と周方向に回転可能に係合される第二軸２の先端部に長さ方向に対して傾斜を付けて設けられた展示物取り付け具４、下方にネジ付きのつまみ２ａを設けて、摘んで第二軸２を周方向に回転させることにより展示物を自転させ、基台３の配置の向きを手で移動させることによって多様な視角を得るようにした。
【０００９】  同じく図４右側の断面図参照、第一軸１の下方に第二軸２の下端を受け止める出っ張りが設け、そこにリング状の２ｂを介在させて回転の円滑を図っている、展示物の姿勢を停止保持したいとき、ネジ付きつまみ２ａを絞めて第一軸１に固定する。
【００１０】  前記０００６記載の展示装置の特徴を有して、第一軸１と第二軸２の係合面をテーパー状に組み合わさるように形成した展示装置の構成について、図５を参照しながら説明する。前述のように第一軸１と第二軸２の係合面をテーパー状に構成することによって、第二軸２下方に設けたツマミを摘んで僅か上方にずらすことにより第二軸２と第一軸の係合面に僅かな空間をつくり、第一軸１に対する第二軸２の周回転をスムーズにする、展示物の姿勢を停止保持したいときには、下げるだけで固定される、左図は、展示物の回転を示し、右図は、展示物の回転を停止し、その姿勢を保持した図、図６は、係合面をテーパー状に構成した展示装置の模式図である。
【００１１】  請求項２に記載の回転展示台の構成に付いて図７参照、基盤６の上に中心を一にして回転台５を回転可能に搭載する、回転台５の上底に第二軸２を斜め上方に向けて固着する、固着された第二軸２に周方向に回転可能に設置された第一軸１は、第二軸２内に環状ベアリング７を有して回転可能に捕捉支持され、その上方先端に長さ方向に対して傾斜を付けて展示物取り付け具４を設置、その下端には、中心を一にして歯車１ａが固着され、回転台５の内部に位置して、基盤６の中心から垂直に突起した柱が有する歯車６ａと噛合う、回転台５を回転させると第二軸２および内部に回転可能に支持されている第一軸１が共に旋回し、展示物取り付け具４に公転と自転が同時に発生する。
【００１２】  上記構成において、第一軸１第二軸２の回転を円滑にするため環状ベアリングを用いているが、軽量展示物を搭載する小型簡易な展示装置においては、滑性材質のリングやワッシャーを用いて代用する。回転台５の回転を円滑に支えるため、基盤６には荷重対応ローラーが固着されているがその他の方法でも良い。小型軽量簡易な展示装置においては、簡易な樹脂輪やゴム輪等でも対応できる。
【００１３】  図８参照、前記００１１記載の回転台に手動で回転を与える一方法を示したもの。手摺状の輪を設置したもので、車椅子の自走用ハンドリムを水平にしたようなもの、回転方向、速度、回転、停止が意のままで展示物の観察鑑賞も思いのままである。このハンドリムに適度な重さを付加ことで、弾み車効果が生まれ、より効果的になる。手動以外の動力として、ゼンマイ、モーター等が挙げられるが、風圧や水圧、太陽光も原動力になる。
【００１４】  図９参照、基盤６に設置されたモーター９および減速装置９ａに附随したプーリー９ｂが回転台下部側壁のプーリーを受けるゴム部９ｃに接して回転台５を回転させる。
【００１５】  展示物の重量、展示装置の大きさにより、前記プーリーはギヤ状のものに置き換えられ、それに接する回転台５の側壁下部も環状にギヤ状のものに置き換えられる。
【発明の効果】
【００１６】■一視点に居て、あらゆる角度からの展示物観覧を可能にした。
■たとえば、展示物を上空から追いかけているような視角、展示物が翻って底面を見せながら通過していく無段階移動の情景を眼前で目撃できる。
■フィギュアやキャラクター商品、模型等の飾り台として効果を発揮する。
■新製品の紹介や美術館、博物館等でのレプリカ展示などに効果的である。
■一つの視点で展示物の姿態をあらゆる角度から観察鑑賞できる立体的回転は、従来の展示装置の退屈さを完全に払拭する。
■実車を載せて展示すれば、その効果は絶大である。
【発明を実施するための最良の形態】
【００１７】  実施のための最良の形態を前述の項目と重複するが、図１〜図８に基づいて説明する。【００１８】  図１の、符号１は、第一軸を示し、２は、第二軸を示す、第一軸と第二軸は係合しあい、周方向に回転自在、図は係合形態の例を示す。【００１９】  図２、第一軸１を基台３に斜め上方に向けて固着し、第二軸２の上端部に長さ方向に対し傾斜を付けて展示物取り付け具を設置し、第一軸に対し第二軸が周方向に回転するようにした。【００２０】  図３参照、上記の第一軸１と第二軸２の役割を転じ、第二軸２を回転台５に斜上方に向けて固着し、第一軸１を第二軸２内に自転可能に係合させるが、この発明では、どちらの方式もそれぞれ最良に活かされている。【００２１】  まず、０００６に記載の方式を採用した小型軽量の展示物を対象の簡易な展示装置の最良と思う構成を提示する。  図４、右側の断面図、基台３に固着され、基台から斜上方に突出する第一軸１、第一軸１と周方向に回転可能に係合される第二軸２の先端部に長さ方向に対して傾斜を付けて設けられた展示物取り付け具４、下方にネジ付きのつまみ２ａを設けて、摘んで第二軸２を周方向に回転させることにより展示物を自転させ、展示物の姿勢を停止保持したいときは、ネジ付きつまみを絞めて第一軸１に固定する、ネジ付きつまみの下方、第二軸２の下端は、第一軸１の根元に設けた出っ張りに乗った滑り素材で形成されたリングの上に乗っていて円滑に回転する、基台３の配置の向きを手で移動させることによって多様な視角を得るようにした簡素低価格を旨とする回転展示装置である。【００２２】  ０００６記載の特徴を基礎として、第一軸１と第二軸２の係合面をテーパー状に構成した展示装置、図５〜６は、係合面をテーパー状に構成することによって、第二軸２下方に設けたツマミを摘んで僅か上方にずらすことにより第二軸２と第一軸１の係合面に空間をつくり、第一軸１に対する第二軸２の周回転（自転）をスムーズにする、展示物の姿勢を停止保持したいときには、ツマミを下げるだけで固定される回転展示装置、形成素材は、紙、樹脂、金属、木材等多様である。【００２３】  前記０００７記述の図３の特徴を基礎とした図７の展示装置を呈示する、基盤６の上に中心を一にして回転台５を回転可能に搭載する、回転台５は高さより直径の大きい円柱状に上底と下底を有し内部に空間を持つ、回転台５の上底に第二軸２を斜め上方に向けて固着する、固着された第二軸２に周方向に回転可能に設置された第一軸１は、第二軸２内に環状ベアリング７を有して回転可能に捕捉支持され、その上方先端に長さ方向に対して傾斜を付けて展示物取り付け具４を設置、その下端には、中心軸を一にして歯車１ａが固着され、回転台５の内部に位置して、基盤６の中心から垂直に突起した柱が有する歯車６ａと噛合う、回転台５を回転させると第二軸２および内部に回転可能に支持されている第一軸１が共に旋回し、展示物取り付け具４に公転と自転が同時に発生する。【００２４】  上記構成において、第一軸１第二軸２の回転を円滑にするため環状ベアリングを用いているが、軽量展示物を搭載する小型簡易な展示装置においては、滑性材質のリングや環状シートを用いて代用する。回転台５の回転を円滑に支えるため、基盤６には荷重対応ローラーが固着されているが、小型軽量簡易な展示装置においては、簡易な樹脂輪やゴム輪等でも対応できる。【００２５】  図８参照、前記回転台に手動で回転を与える一方法を示したもの。手摺状の輪を設置したもので、車椅子の自走用ハンドリムを水平にしたようなもの、回転方向、速度、回転、停止が意のままで展示物の観察鑑賞も思いのままである。このハンドリムに適度な重さを付加ことで、弾み車効果が生まれ、より効果的になる。手動以外の動力として、ゼンマイ、モーター等が挙げられるが、風圧や水圧、太陽光も原動力になる。
【実施例】
【００２６】  図９参照、第一軸１および下端の歯車１ａの軸心を回転台５の下底の軸受けに回転自在に収める方式、軸心を受ける部分には硬質素材を配する。【００２７】  図９参照、電動回転展示装置、基盤６に設置されたモーター９および減速装置９ａに附随したプーリー９ｂが、回転台５の側壁下部に接し、回転台５を回転させる。【００２８】  展示物の重量、展示装置の大きさにより前記プーリーは、ギヤに置き換えられる、それに接する回転台５の側壁下部には、環状にギヤが設けられ噛合する。【００２９】  ００１１に記載の特徴を有しながら１部異なる方式を持つ構成を、図１０を参照しながら説明する、基盤６の中心から突起した柱が有する固定歯車６ａの中心軸と、自転自在な第一軸１および第一軸下端の歯車１ａの中心軸をユニバーサルジョイント６ｂで繋いだ展示装置、回転台５の下底内面にモーター９、減速装置９ａ、附随した歯車９ｂを設置し、前記基盤６から突起した柱が有する固定歯車６ａの直径を大きくし外周の歯車に、前記モーター９減速装置９ａに附随した歯車９ｂと噛合させ回転台を回転させる、その内周に設けた歯車には、第一軸１下端の歯車１ａが噛合っている。【００３０】  モーターによるプーリーベルト採用の回転台駆動の展示装置を図１１に示す。基盤６に設置したモーターおよび減速装置に付属したプーリー９ｂと、回転台５に設置したプーリー９ｅをベルト９ｄを介して回転台を回転させる方式。【００３１】  手動も含む動力により回転台の回転が起ると、同時に発生する公転と自転のメカニズムを図１２左図で、あらためて説明する、動力９に付したプーリー９ｂまたは歯車９ｂの回転が、回転台５側壁下部内周に施したプーリーベルトまたは、内歯車により、回転台５が回転すると回転台５上底に固着した第二軸２と第二軸２内に回転自在に係合されている第一軸１が旋回し、第一軸１下端の歯車は、基盤から突出した柱が有する固定の歯車と噛合って第一軸１が自転し、展示物取り付け具も自転する、則ち展示物に公転と自転が同時に発生する仕組みで、一つの視点で展示物の姿態をあらゆる角度から立体的に観察鑑賞できる回転展示装置。【００３２】  基台３に固着され、斜上方に突出する第一軸１または、基盤６に固着され、斜上方に突出する第二軸２、本展示装置の基本構成である軸の傾斜突出による展示効果を図１３で見てみると、Ａ図、軸傾斜４５°で、回転台５、展示物取り付け具４は０°に設定して回転台を、回転させると前面を見せていた展示物は、徐徐に側面を見せ始め、徐徐に後部を見せていく、これが展示物の公転であるが、Ｂ図、展示物を載せた第二軸２が第一軸１に係合周回（自転）をすると、半回転のところで展示物は９０°傾き、Ｄ図軸傾斜６５°では、展示物の傾きは４５°である。観察者の眼には、公転によって展示物の側面周囲全体を、４５°傾斜した第二軸２の自転では、展示物を正面から、斜め後方上から、真上から、観ることができ、これに公転が加わると真下からも見ることができ、あらゆる角度から展示物を跳めることができる。軸傾斜６５°では、展示物の傾斜は少し浅くなり、すべての角度から見ることはできないが、展示物の性格に合わせて軸の傾斜角度を設定するとよい。【００３３】  展示装置を観覧者の眼より上方、或いは下方に設置する場合は、目の高さに合わせて第一、第二軸の傾斜、展示物取り付け具の傾斜を最適になるように加減調整する。【００３４】  歯車１ａと歯車６ａとの対比と公転自転の関係は、図１４のＡ図〜Ｄ図、歯車直径１ａ対６ａが２対１の場合、公転一回に対し自転は半回転、歯車の直径が１対１では、公転一回に対し自転も一回、１ａ対６ａが１対２の場合は公転１回に対し自転は二回、この対比をふまえて展示物に適した歯車の対比によって、展示効果が高まる。【００３５】  同じく図１４、Ｅ図、６ａ歯車を固定ではなく回転歯車とし、別途モーターで回転させると公転と関係なく自転が得られる、６ａ歯車を回転歯車にすることは有為である。【００３６】  図１５を参照、図１５は図４、図５の簡易な小展示装置に歯車を装着して基台３を回転台５に進化させて公転自転を獲得したもので、基盤６は吸着性の有る合成樹脂製で、テーブル等に吸着する、構造が一目瞭然で教材としての付加価値も生まれる。【００３７】  図１６は、３連構成の回転展示装置をポール型に仕立てたが、展示するものによっては、低く仕立てたり、高低を付けて効果を発揮する。
【産業上の利用可能性】
【００３８】  図１７参照、本発明での中型に属するボール型の回転展示装置、コントロール装置を搭載して、外部からコントロールする、この図は、模型飛行機を搭載した例だが、ポールの傾斜、展示物取り付けの角度がもたらす効果が公転自転によって発揮され、千変万化の飛行姿勢を眼前に繰り広げる。雨天の日など、屋外で飛ばせないラジコン飛行機を室内で堪能できる、一視点多視角の本展示装置は、趣味の世界でも需要が見込まれる。図１８は、ポール型回転展示装置上の飛行機が見せる優美な飛行姿勢。【００３９】  図１９参照、玩具、模型の売り場の棚やウインドウに置かれたフィギュアやキャラクター商品は、顧客に対するアピールが充分とは言えないし、その商品を買った客にとっても充分な愉しみを享受しているとは云いがたいが、本回転展示装置を飾り台として利用すれば商品は活性化され、家庭に於いても愉しみが倍増、引き出しに眠っていた趣味の品さえも輝きを増すだろう。モーターライズのリモコン式をはじめ、リューズ式、ゼンマイ式、ハンドル式等の簡易簡便なものにも量産を可能にするような需要が生まれるだろう。【００４０】  図２０参照、結婚式場やデパート等に限らず自然や夢の演出に効果的な回転展示装置の利用が、ＰＲ効果と相まって需要が高まるだろう。【００４１】  図２１参照、スポーツ関係の催しやファッションフロア等で、あたかも生きているかのように躍動する人形を演出する回転展示装置、床上設置は勿論のこと、壁面への設置も可能にするこの装置に人気が集まるだろう。【００４２】  大型展示物対応の回転展示装置を図２２に示す、工業製品や航空宇宙の大型模型、美術品、古代遺物のレプリカなどの展示、自動車ショーなどへの利用も期待できるだろう。
図２３は、本回転展示装置上で見せる展示物の様々なポーズである。【００４３】  本発明多視角回転展示台に人を乗せることも可能かも知れない。【００４４】  図２４は、本展示装置の外観のいろいろ。この展示装置が産業上のみならず趣味や勉学の世界を潤すことを望む。
【図面の簡単な説明】
【００４５】
【図１】係合する二軸の関係
【図２】第一軸に基台、第二軸に展示物取り付け具
【図３】第二軸に基盤、第一軸に展示物取り付け具
【図４】小品用簡易回転展示装置
【図５】テーパー付き回転展示装置
【図６】テーパー付き模式図
【図７】歯車仕様回転展示装置
【図８】ハンドリム式手動回転展示装置
【図９】第一軸軸受け式回転展示装置
【図１０】ジョイント接続式回転展示装置
【図１１】プーリーベルト式回転展示装置
【図１２】公転自転図解
【図１３】軸角度と展示物の見え方
【図１４】歯車の直径対比と公転自転の関係
【図１５】教材的回転展示装置
【図１６】三連式回転展示装置
【図１７】ラジコン式回転展示装置
【図１８】眼前で舞う展示物の優美
【図１９】魅力増すフィギュア
【図２０】天井に舞う白鳥
【図２１】壁面に踊るスポーツ
【図２２】実車回転展示装置
【図２３】展示物が示すポーズ
【図２４】回転展示装置外観のいろいろ
【符号の説明】
【００４６】  １    第一軸
１ａ    第一軸下端歯車
２    第二軸
２ａ    ネジ付きつまみ
２ｂ    円滑リング
３    基台
４    展示物取付具
５    回転台
６    基盤
６ａ    基盤突起歯車
７    ベアリング
８    荷重対応ローラー
９    モーター
９ａ    減速装置
９ｂ    動力プーリー
９ｂ    動力歯車
９ｃ    壁面ゴム
９ｄ    プーリーベルト
９ｅ    回転台側プーリー
１０    コントロール装置
【図１】
2008049164.tif 000003
【図２】
2008049164.tif 000004
【図３】
2008049164.tif 000005
【図４】
2008049164.tif 000006
【図５】
2008049164.tif 000007
【図６】
2008049164.tif 000008
【図７】
2008049164.tif 000009
【図８】
2008049164.tif 000010
【図９】
2008049164.tif 000011
【図１０】
2008049164.tif 000012
【図１１】
2008049164.tif 000013
【図１２】
2008049164.tif 000014
【図１３】
2008049164.tif 000015
【図１４】
2008049164.tif 000016
【図１５】
2008049164.tif 000017
【図１６】
2008049164.tif 000018
【図１７】
2008049164.tif 000019
【図１８】
2008049164.tif 000020
【図１９】
2008049164.tif 000021
【図２０】
2008049164.tif 000022
【図２１】
2008049164.tif 000023
【図２２】
2008049164.tif 000024
【図２３】
2008049164.tif 000025
【図２４】
2008049164.tif 000026